(57)【要約】【課題】  異なる意匠の照明カバーに容易に交換できるようにしたインテリア照明器具を提供する。【解決手段】  土台３に６本のフレーム４を所定間隔おいて取り付け、各フレーム４を傾斜させてその上端部同士を環状の連結具４ｃで連結し、各フレーム４の上端に蓄光体５を取り付け、土台３の中央部にソケット６ａを取り付けて電球６を装着する。照明カバー２はテトロン繊維で扇状に製作し、表面に所望の模様や絵柄を形成し、辺部にファスナー２ａを取り付ける。この照明カバー２で各フレーム４を被包して両辺部をファスナー２ａで脱着自在に接合する。【選択図】図１
0003135913.tif 000002
【実用新案登録請求の範囲】
【請求項１】
光源の周囲に複数本のフレームを所定間隔おいて立設し、光が分散透過できるシート状の照明カバーでフレームの外側を脱着自在に被包した、インテリア照明器具。
【請求項２】
照明カバーが、両辺部同士をファスナーで接合できるようにしたものである、請求項１記載のインテリア照明器具。
【請求項３】
被包した状態の照明カバーの上部に光源の熱を放熱できる開口を形成した、請求項１又は２記載のインテリア照明器具。
【請求項４】
各フレームを傾斜させてその上端部同士を連結し、照明カバーを円錐状に被包した、請求項１〜３いずれか記載のインテリア照明器具。
【請求項５】
照明カバーがテトロン繊維で構成されたものである、請求項１〜４いずれか記載のインテリア照明器具。
【請求項６】
フレームの上端に蓄光体を取り付けた、請求項１〜５いずれか記載のインテリア照明器具。
【考案の詳細な説明】
【技術分野】
【０００１】
本考案は、インテリア照明器具に関する。
【背景技術】
【０００２】
従来、テーブルやベッド脇のキャビネットに直接置いたり、スタンドで床面に置かれるインテリア照明器具としては、光が分散透過できる照明カバーで光源を被包し、光源を直視させないようにしたものが一般的である。照明カバーは半透明のプラスチックや和紙等が用いられ、表面に様々な模様を施して意匠性を高めている。
【０００３】
ところで、従来の照明カバーは製品一つにつき一種類のものが恒久的に取り付けられており、異なる意匠の照明カバーに交換することができなかった。
【特許文献１】実用新案登録第３００１９５１号公報
【考案の開示】
【考案が解決しようとする課題】
【０００４】
本考案が解決しようとする課題は、従来のこれらの問題点を解消し、異なる意匠の照明カバーに容易に交換できるようにしたインテリア照明器具を提供することにある。
【課題を解決するための手段】
【０００５】
かかる課題を解決した本考案の構成は、
１）  光源の周囲に複数本のフレームを所定間隔おいて立設し、光が分散透過できるシート状の照明カバーでフレームの外側を脱着自在に被包した、インテリア照明器具
２）  照明カバーが、両辺部同士をファスナーで接合できるようにしたものである、前記１）記載のインテリア照明器具
３）  被包した状態の照明カバーの上部に光源の熱を放熱できる開口を形成した、前記１）又は２）記載のインテリア照明器具
４）  各フレームを傾斜させてその上端部同士を連結し、照明カバーを円錐状に被包した、前記１）〜３）いずれか記載のインテリア照明器具
５）  照明カバーがテトロン繊維で構成されたものである、前記１）〜４）いずれか記載のインテリア照明器具
６）  フレームの上端に蓄光体を取り付けた、前記１）〜５）いずれか記載のインテリア照明器具
にある。
【考案の効果】
【０００６】
本考案によれば、照明カバーがシート状で脱着自在であるから、好みや雰囲気に応じて任意の意匠の照明カバーに容易に交換できる。
【考案を実施するための最良の形態】
【０００７】
本考案の照明カバーの脱着手段としては、ファスナーを用いた方法が接合が容易で実用的であるが、他の方法としてフックやボタン、マジックファスナー（登録商標）等も使用できる。被包した状態の照明カバーの上部に開口を形成すると、光源が発する熱を外方へ逃がして照明カバーを熱くしない。全体の形状としては、各フレームを傾斜させて照明カバーを円錐状に被包したものが意匠的に特徴があって好ましいが、各フレームを垂直に立設させて照明カバーを円筒状に被包してもよい。照明カバーの材質としてはテトロン繊維が耐熱性に優れて好ましいが、光源が低発熱であれば他の繊維や変形容易な薄物のプラスチック等も使用できる。フレームの上端に蓄光体を取り付けると、光源の消灯後に常夜灯として使用できる。光源としては蛍光灯・白熱球・発光ダイオード（ＬＥＤ）等が用いられる。以下、本考案の実施例を図面に基づいて具体的に説明する。
【実施例１】
【０００８】
図１は実施例のインテリア照明器具の斜視図、図２は実施例の照明カバーを取り外した状態のインテリア照明器具の斜視図、図３は実施例の照明カバーの展開図である。図中、１はインテリア照明器具、２は照明カバー、２ａはファスナー、２ｂは開口、３は土台、４はフレーム、４ａは止め具、４ｂはネジ、４ｃは連結具、５は蓄光体、６は電球、６ａはソケット、６ｂはネジ、７はコード、８はスイッチ、９はプラグである。
【０００９】
本実施例のインテリア照明器具１は、図１，２に示すように六角形の木製の土台３に６本の金属製のフレーム４を土台３の角部に止め具４ａを介してネジ４ｂで取り付け、各フレーム４を傾斜させてその上端部同士を環状の連結具４ｃで連結し、各フレーム４の上端に蓄光体５を取り付け、土台３の中央部にソケット６ａをネジ６ｂで取り付けて電球６を装着している。
【００１０】
照明カバー２は、図３に示すようにテトロン繊維で扇状に製作され、表面には所望の模様や絵柄が形成され、辺部にファスナー２ａを取り付けている。照明カバー２は模様替えのために複数が用意される。
【００１１】
この照明カバー２で各フレーム４を被包して両辺部をファスナー２ａで接合し、図１に示す円錐状のインテリア照明器具１を組み立てる。プラグ９を図示しないコンセントに接続してスイッチ８を入れると電球６が点灯し、その光が照明カバー２で分散透過されて照明カバー２の模様を浮かび上がらせる。
【００１２】
照明カバー２の上部は開口２ｂが形成されており、電球６の熱が開口２ｂを通じて上方へ抜け、照明カバー２内で熱が滞留することなく放熱性に優れる。また、電球６を消灯した場合はフレーム４の上端の蓄光体５が発光して常夜灯となる。模様替えする場合は、照明カバー２のファスナー２ａを解除することでフレーム４から取り外し、他の模様が形成された照明カバー２を取り付け直すことで容易に成される。
【産業上の利用可能性】
【００１３】
本考案のインテリア照明器具は、テーブルやベッド脇のキャビネットに直接置いたり、スタンドで床面に置いて使用される。他の用途としては、大型の照明カバーに広告を形成し、これを街頭や店舗・ホテルのロビー等の商業施設に置いて広告・宣伝用として使用することもできる。
【図面の簡単な説明】
【００１４】
【図１】実施例のインテリア照明器具の斜視図である。
【図２】実施例の照明カバーを取り外した状態のインテリア照明器具の斜視図である。
【図３】実施例の照明カバーの展開図である。
【符号の説明】
【００１５】
１  インテリア照明器具
２  照明カバー
２ａ  ファスナー
２ｂ  開口
３  土台
４  フレーム
４ａ  止め具
４ｂ  ネジ
４ｃ  連結具
５  蓄光体
６  電球
６ａ  ソケット
６ｂ  ネジ
７  コード
８  スイッチ
９  プラグ
【図１】
0003135913.tif 000003
【図２】
0003135913.tif 000004
【図３】
0003135913.tif 000005